Podtech/llm-jp-corpus-v4-ja_patent huggingface dataset:
(57)【要約】【課題】  高速シリアルデータを伝送することが本発明の目的である。【課題を解決するための手段】  撮像装置において、４並列以上の読み出しの高フレームレートＣＭＯＳ固体撮像素子と４ヶ以上のカメラリンクインターフェース回路と４ヶ以上のカメラリンクコネクタとを有し、上記４ヶ以上のカメラリンクインターフェース回路と４ヶ以上のカメラリンクコネクタとを使用して上記固体撮像素子の画像データを４並列以上のカメラリンクシリアルデータとして高フレームレートで出力する。【選択図】図１
2011182316.tif 000002
【特許請求の範囲】
【請求項１】
撮像装置において、固体撮像素子と４ヶ以上のカメラリンクインターフェース回路と４ヶ以上のカメラリンクコネクタとを有し、上記４ヶ以上のカメラリンクインターフェース回路と４ヶ以上のカメラリンクコネクタとを使用して上記固体撮像素子の画像データを４並列以上のカメラリンクシリアルデータとして出力することを特徴とする撮像装置。
【発明の詳細な説明】
【技術分野】
【０００１】
本発明は、固体撮像素子を用いた撮像装置の改良に関するものである。
【背景技術】
【０００２】
ＦＡ（Factory-Automation）用電子カメラにおけるデジタルインターフェース方式としては、Ｃａｍｅｒａ  Ｌｉｎｋ（カメラリンク）と呼ばれる接続方式がある。このカメラリンクは、撮像部（カメラ）と制御部（フレームグラバー）との間で、ビデオデータ、カメラコントロール、シリアル通信等の信号を、１対１で伝送する（非特許文献１参照）。
【０００３】
カメラリンク機能では、画像データをカメラリンクケーブルよりシリアル伝送することにより高フレームレートの画像データを伝送できる。しかし、１２並列読み出しのＣＭＯＳ（Complimentary-Metal-Oxiside-Semiconductor）撮像素子や１６並列読み出しの斜行直線ＣＣＤ（Charge-Couple-Device）型画素周辺記録撮像素子（ＩＳＩＳ−ＣＣＤ）のように非常に高フレームレートの素子を伝送できない。
【０００４】
図２に従来のＣＭＯＳ撮像素子を用いた撮像装置と画像処理装置の構成を示すブロック図を用いて動作説明を行う。
図２では２並列カメラリンクコネクタカメラの６は、２並列カメラリンクコネクタの８と９と２並列カメラリンクケーブルの１０経由にて２並列カメラリンクコネクタ画像処理装置７にＣＭＯＳ撮像素子の画像データの伝送をする。
【０００５】
従来、カメラリンクはフルコンフィグレーションまでサポートしており、２並列カメラリンクコネクタ画像処理装置７がフレームグラバーボード等の場合、カメラリンクコネクタ及び画像処理装置側カメラリンクコネクタ数は２ヶまでであった。そのため最大８ＴＡＰ（データ線の本数）のシリアルデータしか伝送できなかった。
【先行技術文献】
【特許文献】
【０００６】
【特許文献１】特開２００９−２９０２５９号公報
【非特許文献】
【０００７】
【非特許文献１】「Camera Link Specification  of the Camera Link Interface Standard for Digital Cameras and FrameGrabbers」、米国、自動化イメージング協会、平成１２年１０月
【発明の概要】
【発明が解決しようとする課題】
【０００８】
高速シリアルデータを伝送することが本発明の目的である。
【課題を解決するための手段】
【０００９】
本発明は、上記課題を解決するため、撮像装置において、固体撮像素子と４ヶ以上のカメラリンクインターフェース回路と４ヶ以上のカメラリンクコネクタとを有し、上記４ヶ以上のカメラリンクインターフェース回路と４ヶ以上のカメラリンクコネクタとを使用して上記固体撮像素子の画像データを４並列以上のカメラリンクシリアルデータとして出力することを特徴とする撮像装置である。
【００１０】
上記の撮像装置において、上記固体撮像素子に４並列以上の読み出しの固体撮像素子を用いることを特徴とする撮像装置である。
【００１１】
上記の撮像装置において、上記４並列以上の読み出しの固体撮像素子として、１２並列読み出しのＣＭＯＳ撮像素子と１６並列読み出しのＩＳＩＳ−ＣＣＤと４並列以上の読み出しのＣＣＤ撮像素子との少なくとも一方を用いることを特徴とする撮像装置である。
【発明の効果】
【００１２】
本発明によれば、画像処理装置に装備されているカメラリンクコネクタ４つを使用して画像データ伝送を行う事により最大１６ＴＡＰのシリアルデータを伝送する。
【図面の簡単な説明】
【００１３】
【図１】本発明の一実施例の撮像装置と画像処理装置を示すブロック図
【図２】従来のＣＭＯＳ撮像素子を用いた撮像装置と画像処理装置の構成を示すブロック図
【図３Ａ】本発明の一実施例のカメラリンクシリアルデータを示す模式図
【図３Ｂ】本発明の一実施例のカメラリンクシリアルデータを示す模式図
【図４】従来のカメラリンクシリアルデータを示す模式図
【発明を実施するための形態】
【実施例１】
【００１４】
以下、本発明によるＣＭＯＳカメラ装置の実施の形態について、図面を用いて説明する。
【００１５】
図１において、１は４並列カメラリンクコネクタ画像処理装置、２と５はカメラ側４並列カメラリンクコネクタ、３は、４は４並列カメラリンクケーブルである。
【００１６】
４並列カメラリンクコネクタカメラ３から４並列カメラリンクコネクタ画像処理装置１へ、カメラ側４並列カメラリンクコネクタ２と５と、４並列カメラリンクケーブル４とを同時に使用して画像データ伝送をする。カメラリンクコネクタとカメラリンクケーブル内でそれぞれフルコンフィグレーションのシリアルデータ伝送を行う事により最大１６ＴＡＰの画像を伝送できる。それにより高フレームレートの画像データまたは高画素の画像データを伝送できる。
【００１７】
４並列以上の固体撮像素子としてはＣＭＯＳ固体撮像素子が一般的だが、高画素ＣＣＤ固体撮像素子やＩＳＩＳ―ＣＣＤ固体撮像素子などのＣＣＤ固体撮像素子もある。具体的には１２並列読み出しの１２００万画素ＣＭＯＳ撮像素子や、４並列読み出しの１０００万画素ＣＣＤ固体撮像素子や、１６並列読み出しのＩＳＩＳ―ＣＣＤ固体撮像素子がある。４並列以上の固体撮像素子では高速レートの画像データを読み出せるため、高フレームレートの画像データまたは高画素の画像データを読み出せる。
【符号の説明】
【００１８】
１：４並列カメラリンクコネクタ画像処理装置、２，５：カメラ側４並列カメラリンクコネクタ、３：４並列カメラリンクコネクタカメラ、４：４並列カメラリンクケーブル、６：２並列カメラリンクコネクタカメラ、７：２並列カメラリンクコネクタ画像処理装置，８，９：２並列カメラリンクコネクタ、１０：２並列カメラリンクケーブル、
【図１】
2011182316.tif 000003
【図２】
2011182316.tif 000004
【図３Ａ】
2011182316.tif 000005
【図３Ｂ】
2011182316.tif 000006
【図４】
2011182316.tif 000007